(57)【特許請求の範囲】
【請求項１】
圧縮機、室外熱交換器、膨張弁、室内熱交換器、及び四方弁を環状に接続して冷媒を循環させる冷媒回路を構成する室内機及び室外機と、
前記室内熱交換器を介して室内空気を送風するファンと、
室内温度を検知して検知温度を得る温度センサと、
暖房運転モードと冷房運転モードとをユーザー操作に応じて切り替えるマニュアルモード、及び暖房運転モードと冷房運転モードとを自動的に切り替える自動切替モードの一方を択一的に選択する運転モード選択部と、
暖房運転開始温度、冷房運転開始温度、暖房運転時圧縮機停止温度、及び冷房運転時圧縮機停止温度を予め記憶する記憶部と、
前記自動切替モードが選択されている場合に、前記検知温度が前記冷房運転モード時に前記暖房運転開始温度となったとき又は前記検知温度が前記暖房運転モード時に前記冷房運転開始温度となったときに前記四方弁を切り替え前記圧縮機を動作させつつ前記ファンを回転させ、
前記検知温度が前記暖房運転モード時に前記暖房運転時圧縮機停止温度となったとき、
又は前記検知温度が前記冷房運転モード時に前記冷房運転時圧縮機停止温度となったときに前記圧縮機の動作を停止させる制御部と、を含む空気調和機であって、
前記記憶部は、前記暖房運転時圧縮機停止温度と前記冷房運転開始温度との間の温度範囲を区分して得られる、第１の暖房中間温度範囲と、前記第１の暖房中間温度範囲に対して高温側に隣接し前記第１の暖房中間温度範囲よりも広い第２の暖房中間温度範囲と、を記憶し、
前記制御部は、前記暖房運転モード時に、前記検知温度が前記第１の暖房中間温度範囲に属するときに前記ファンを連続運転させ、前記検知温度が前記第２の暖房中間温度範囲に属するときに前記ファンを間欠運転させることを特徴とする空気調和機。
【請求項２】
前記暖房運転時圧縮機停止温度と前記冷房運転開始温度との間の温度範囲を区分する温度は、前記暖房運転時圧縮機停止温度と前記冷房運転開始温度との中間の温度よりも低いことを特徴とする請求項１に記載の空気調和機。
【請求項３】
前記制御部は、前記第１の暖房中間温度範囲内の温度の時間的変化量に応じて前記第２の暖房中間温度範囲における前記ファンの風速を選択することを特徴とする請求項１又は２に記載の空気調和機。
【請求項４】
前記制御部は、前記第１の暖房中間温度範囲内の温度の時間的変化量に応じて前記第２の暖房中間温度範囲における前記ファンの運転態様を選択することを特徴とする請求項１〜３のいずれか１項に記載の空気調和機。
【請求項５】
圧縮機、室外熱交換器、膨張弁、室内熱交換器、及び四方弁を環状に接続して冷媒を循環させる冷媒回路を構成する室内機及び室外機と、
前記室内熱交換器を介して室内空気を送風するファンと、
室内温度を検知して検知温度を得る温度センサと、
暖房運転モードと冷房運転モードとをユーザー操作に応じて切り替えるマニュアルモード、及び暖房運転モードと冷房運転モードとを自動的に切り替える自動切替モードの一方を択一的に選択する運転モード選択部と、
暖房運転開始温度、冷房運転開始温度、暖房運転時圧縮機停止温度、及び冷房運転時圧縮機停止温度を予め記憶する記憶部と、
前記自動切替モードが選択されている場合に、前記検知温度が前記冷房運転モード時に前記暖房運転開始温度となったとき又は前記検知温度が前記暖房運転モード時に前記冷房運転開始温度となったときに前記四方弁を切り替え前記圧縮機を動作させつつ前記ファンを回転させ、
前記検知温度が前記暖房運転モード時に前記暖房運転時圧縮機停止温度となったとき、
又は前記検知温度が前記冷房運転モード時に前記冷房運転時圧縮機停止温度となったときに前記圧縮機の動作を停止させる制御部と、を含む空気調和機であって、
前記記憶部は、前記冷房運転時圧縮機停止温度と前記暖房運転開始温度との間の温度範囲を区分して得られる、第１の冷房中間温度範囲と、前記第１の冷房中間温度範囲に対して低温側に隣接し前記第１の冷房中間温度範囲よりも広い第２の冷房中間温度範囲と、を記憶し、
前記制御部は、前記冷房運転モード時に、前記検知温度が前記第１の冷房中間温度範囲に属するときに前記ファンを連続運転させ、前記検知温度が前記第２の冷房中間温度範囲に属するときに前記ファンを間欠運転させることを特徴とする空気調和機。
【請求項６】
前記冷房運転時圧縮機停止温度と前記暖房運転開始温度との間の温度範囲を区分する温度は、前記冷房運転時圧縮機停止温度と前記暖房運転開始温度との中間の温度よりも高いことを特徴とする請求項５に記載の空気調和機。
【請求項７】
前記制御部は、前記第１の冷房中間温度範囲内の温度の時間的変化量に応じて前記第２の冷房中間温度範囲における前記ファンの風速を選択することを特徴とする請求項５又は６に記載の空気調和機。
【請求項８】
前記制御部は、前記第１の冷房中間温度範囲内の温度の時間的変化量に応じて前記第２の冷房中間温度範囲における前記ファンの運転態様を選択することを特徴とする請求項５〜７のいずれか１項に記載の空気調和機。
【発明の詳細な説明】
【技術分野】
【０００１】
この発明は、冷房運転モードと暖房運転モードとを自動的に切り替える自動切替機能を搭載した空気調和機に関するものである。
【背景技術】
【０００２】
従来より、設定温度と検知温度との比較結果に応じて暖房運転モードと冷房運転モードとを自動的に切り替える自動切替機能を搭載した空気調和機が知られている。暖房運転モードと冷房運転モードとを切り替える前段階として、圧縮機の運転を停止させた状態でファンによる送風を行ういわゆるサーモオフ運転が行われている。サーモオフ運転時には、圧縮機を運転させて熱交換を行いながらファンによる送風を行ういわゆるサーモオン運転と同様の室内ファン制御設定に従った連続送風運転が行われている（例えば特許文献１）。また、例えば、暖房サーモオフ運転時にファンの運転を停止又は間欠運転させる空気調和機も知られている（例えば特許文献２）。
【先行技術文献】
【特許文献】
【０００３】
【特許文献１】特開平３−１４４２４５号公報
【特許文献２】特開２０１１−２１４７８２号公報
【発明の概要】
【発明が解決しようとする課題】
【０００４】
一般的に、例えば日中と夜間とで寒暖差が大きい地域において、自動切替運転時における冷房運転開始温度と暖房運転開始温度とに大きな差を持たせて設定した場合には、サーモオフ運転期間が長くなる傾向がある。それゆえ、かかる環境で使用する場合には、サーモオフ運転時のファン動作のための消費電力を減らす工夫が求められる。しかしながら、特許文献１のような従来技術の場合、サーモオフ運転中においてもサーモオン運転時の室内ファン制御設定に従った連続送風運転が行われていたので、サーモオフ運転中における室内ファン運転分の電力の消費を抑制できなかった。また、特許文献２のような従来技術では、暖房サーモオフ運転の全期間に亘ってファンを完全に停止させるので消費電力を抑制できる一方、室内機内に空気が滞留して熱がこもり、室内機に設けられた温度センサの温度誤検知に繋がるという問題が生じる。また、暖房サーモオフ運転の全期間に亘ってファンを間欠運転させた場合には、温度センサの温度誤検知は解消できるが、消費電力の抑制量が減少してしまう。また、冷房サーモオフ運転の全期間に亘ってファンを完全に停止させた場合には、室内空気の対流量が減少して室内温度が上昇し、ユーザーに暑いと感じさせてしまう問題がある。また、冷房サーモオフ運転の全期間に亘ってファンを間欠運転させた場合には、室内温度の上昇に起因するユーザーの不快感は減らせるものの、消費電力の抑制量が減少してしまう。このように、従来の空気調和機においては、正常動作とユーザーの快適性を担保しつつサーモオフ運転時中における室内ファン運転による消費電力を低減することができなかった。
【０００５】
この発明は、上記のような課題を解決するためになされたもので、装置の正常動作とユーザーの快適性を担保しつつ、サーモオフ運転中における室内ファン運転による消費電力を低減することができる空気調和機を提供することである。
【課題を解決するための手段】
【０００６】
この発明に係る空気調和機は、圧縮機、室外熱交換器、膨張弁、室内熱交換器、及び四方弁を環状に接続して冷媒を循環させる冷媒回路を構成する室内機及び室外機と、前記室内熱交換器を介して室内空気を送風するファンと、室内温度を検知して検知温度を得る温度センサと、暖房運転モードと冷房運転モードとをユーザー操作に応じて切り替えるマニュアルモード、及び暖房運転モードと冷房運転モードとを自動的に切り替える自動切替モードの一方を択一的に選択する運転モード選択部と、暖房運転開始温度、冷房運転開始温度、暖房運転時圧縮機停止温度、及び冷房運転時圧縮機停止温度を予め記憶する記憶部と、前記自動切替モードが選択されている場合に、前記検知温度が前記冷房運転モード時に前記暖房運転開始温度となったとき又は前記検知温度が前記暖房運転モード時に前記冷房運転開始温度となったときに前記四方弁を切り替え前記圧縮機を動作させつつ前記ファンを回転させ、前記検知温度が前記暖房運転モード時に前記暖房運転時圧縮機停止温度となったとき、又は前記検知温度が前記冷房運転モード時に前記冷房運転時圧縮機停止温度となったときに前記圧縮機の動作を停止させる制御部と、を含む空気調和機であって、前記記憶部は、前記暖房運転時圧縮機停止温度と前記冷房運転開始温度との間の温度範囲を区分して得られる、第１の暖房中間温度範囲と、前記第１の暖房中間温度範囲に対して高温側に隣接し前記第１の暖房中間温度範囲よりも広い第２の暖房中間温度範囲と、を記憶し、前記制御部は、前記暖房運転モード時に、前記検知温度が前記第１の暖房中間温度範囲に属するときに前記ファンを連続運転させ、前記検知温度が前記第２の暖房中間温度範囲に属するときに前記ファンを間欠運転させることを特徴とする。
また、この発明に係る空気調和機は、圧縮機、室外熱交換器、膨張弁、室内熱交換器、及び四方弁を環状に接続して冷媒を循環させる冷媒回路を構成する室内機及び室外機と、前記室内熱交換器を介して室内空気を送風するファンと、室内温度を検知して検知温度を得る温度センサと、暖房運転モードと冷房運転モードとをユーザー操作に応じて切り替えるマニュアルモード、及び暖房運転モードと冷房運転モードとを自動的に切り替える自動切替モードの一方を択一的に選択する運転モード選択部と、暖房運転開始温度、冷房運転開始温度、暖房運転時圧縮機停止温度、及び冷房運転時圧縮機停止温度を予め記憶する記憶部と、前記自動切替モードが選択されている場合に、前記検知温度が前記冷房運転モード時に前記暖房運転開始温度となったとき又は前記検知温度が前記暖房運転モード時に前記冷房運転開始温度となったときに前記四方弁を切り替え前記圧縮機を動作させつつ前記ファンを回転させ、前記検知温度が前記暖房運転モード時に前記暖房運転時圧縮機停止温度となったとき、又は前記検知温度が前記冷房運転モード時に前記冷房運転時圧縮機停止温度となったときに前記圧縮機の動作を停止させる制御部と、を含む空気調和機であって、前記記憶部は、前記冷房運転時圧縮機停止温度と前記暖房運転開始温度との間の温度範囲を区分して得られる、第１の冷房中間温度範囲と、前記第１の冷房中間温度範囲に対して低温側に隣接し前記第１の冷房中間温度範囲よりも広い第２の冷房中間温度範囲と、を記憶し、前記制御部は、前記冷房運転モード時に、前記検知温度が前記第１の冷房中間温度範囲に属するときに前記ファンを連続運転させ、前記検知温度が前記第２の冷房中間温度範囲に属するときに前記ファンを間欠運転させることを特徴とする。
【発明の効果】
【０００７】
この発明の空気調和機は、装置の正常動作とユーザーの快適性を担保しつつ、サーモオフ運転中における室内ファン運転による消費電力を低減することができるという効果を有する。
【図面の簡単な説明】
【０００８】
【図１】この発明の実施の形態１における空気調和機の機能ブロック図である。
【図２】この発明の実施の形態１における自動切替運転時の室温変化と各温度範囲及び各期間とを示すタイムチャートである。
【図３】この発明の実施の形態１における自動切替運転時のファン制御設定処理のフローチャート図である。
【図４】この発明の実施の形態１における自動切替運転時の暖房及び冷房のサーモオフ第１及び第２の中間温度範囲での風速設定の種類を示す図である。
【図５】この発明の実施の形態１における自動切替運転時の暖房及び冷房のサーモオフ第１及び第２の中間温度範囲でのファンの運転設定値の種類を示す図である。
【図６】この発明の実施の形態１におけるサーモオフ期間でのファンの運転態様を示すタイムチャート図である。
【図７】この発明の実施の形態１における自動切替運転時のファン運転制御処理を示すフローチャート図である。
【図８】（ａ）は、冷房及び暖房中間温度幅の設定例、（ｂ）は、第１及び第２中間温度範囲の設定例、（ｃ）は、冷房サーモオフ時における第１及び第２中間温度範囲でのファンの風速及び運転の設定例、（ｄ）は、暖房サーモオフ時における第１及び第２中間温度範囲でのファンの風速及び運転の設定例である。
【図９】この発明の実施の形態２におけるリモコンから冷房及び暖房中間温度幅の設定値を変更する処理のフローチャート図である。
【図１０】（ａ）〜（ｄ）はこの発明の実施の形態２における各設定例である。（ａ）は、冷房及び暖房中間温度幅の初期値例、（ｂ）は、第１及び第２中間温度範囲の初期設定例、（ｃ）は、冷房及び暖房中間温度幅のリモコン設定値例、（ｄ）は、第１及び第２中間温度範囲の更新後の設定例である。
【図１１】この発明の実施の形態３における自動切替運転時の室温変化と各温度範囲及び各期間とを示すタイムチャートである。
【図１２】（ａ）〜（ｄ）はこの発明の実施の形態３における各設定例である。（ａ）は、冷房及び暖房中間温度幅の設定例、（ｂ）は、第１、第２及び第３中間温度範囲の設定例、（ｃ）は、冷房サーモオフ時における第１、第２及び第３中間温度範囲でのファンの風速及び運転の設定例、（ｄ）は、暖房サーモオフ時における第１、第２及び第３中間温度範囲でのファンの風速及び運転の設定例である。
【図１３】この発明の実施の形態４における自動切替運転時のファンの風速及び運転態様の選択処理を示すフローチャートである。
【発明を実施するための形態】
【０００９】
実施の形態１．
図１は、この発明の実施の形態１における空気調和機１の機能ブロック図である。空気調和機１は、室外ユニット１０と、室内ユニット２０と、リモートコントローラ３０と、を含む。室外ユニット１０は、圧縮機４１と室外熱交換器４２とを含み、膨張弁４３と室内熱交換器４４とを含む室内ユニット２０と協働して冷凍サイクルを構成する。以下、圧縮機４１と、室外熱交換器４２と、膨張弁４３と、室内熱交換器４４とからなる回路を冷媒回路４０と称する。また、四方弁４５の切り替えにより、暖房運転モードと冷房運転モードの切り替えがなされる。
【００１０】
室内ユニット２０は、室内機コントローラ２１０と、送風用のファン２２０と、室内温度を検知する温度センサ２３０と、を含む。室内機コントローラ２１０は、メモリ（記憶部）２４０と、設定スイッチ２５０と、室内ユニット送受信部２６０と、室内機制御部２７０と、を含む。メモリ２４０には、冷房運転モード用及び暖房運転モード用の設定温度、ファン２２０の風速設定や運転態様設定などのデータが記憶されている。設定スイッチ２５０は、冷房運転モード用及び暖房運転モード用の設定温度、冷房運転モード及び暖房運転モードの中間温度、中間温度範囲でのファンの風速や運転態様などを設定するためのスイッチである。設定スイッチ２５０を運転モード選択部２５０とも称する。ユーザーは設定スイッチ２５０によって、暖房運転モードと冷房運転モードとをユーザー操作に応じて切り替えるマニュアルモード、及び暖房運転モードと冷房運転モードとを自動的に切り替える自動切替モードの一方を択一的に選択できる。室内ユニット送受信部２６０は、冷房運転モード用及び暖房運転モード用の設定温度、ファン運転制御などのデータをリモコン３０との間で送受信する。室内機制御部２７０は、ファン２２０、温度センサ２３０、メモリ２４０、設定スイッチ２５０、及びリモコン通信送受信部２６０との間でデータを授受しつつ、ファン２２０の運転制御を含む室外ユニット１０全体の運転制御を行う。ファン２２０の運転制御の詳細については後述する。
【００１１】
ファン２２０は、室内機制御部２７０からの指令に応じて運転を開始及び停止し、室内機制御部２７０から指定された風速で回転する。運転時のファン２２０は、室内の空気を室内ユニット２０内に吸い込み、室内ユニット２０内に設けられている室内熱交換器４４を介して、室内ユニット２０内から送風する。温度センサ２３０は、ファン２２０によって室内ユニット２０に吸い込まれた室内空気の温度を検知する。検知された温度は、室内機制御部２７０によって取得される。
【００１２】
リモコン３０は、リモコン制御部３１０と、リモコン操作部３２０と、リモコン送受信部３３０と、を含む。リモコン制御部３１０は、リモコン操作部３２０及びリモコン送受信部３３０との間でデータを授受しつつ、リモコン３０の動作を制御する。リモコン操作部３２０は、冷房運転モード用及び暖房運転モード用の設定温度、冷房運転モード及び暖房運転モードの中間温度、中間温度範囲でのファンの風速や運転態様などをユーザーが設定するために用いられる。リモコン操作部３２０を運転モード選択部とも称する。ユーザーはリモコン操作部３２０によって、暖房運転モードと冷房運転モードとをユーザー操作に応じて切り替えるマニュアルモード、及び暖房運転モードと冷房運転モードとを自動的に切り替える自動切替モードの一方を択一的に選択できる。リモコン送受信部３３０は、リモコン操作部３２０によって入力された設定温度及びファン運転態様を示す信号を室内ユニット２０に送信する。また、リモコン送受信部３３０は、室内ユニット２０から送信される設定温度及びファン運転態様を示す信号を受信することもできる。
【００１３】
暖房運転（暖房サーモオン運転）時においては、室内ユニット２０内の膨張弁４３は、室内熱交換器４４から流入した冷媒を膨張させる。膨張した冷媒は、室外ユニット１０内の室外熱交換器４２において室外空気と熱交換し、圧縮機４１へ出力される。圧縮機４１は、室外熱交換器４２から流入した冷媒を圧縮する。圧縮機４１から吐出された冷媒は、四方弁４５を介して室内熱交換器４４へ流入する。室内熱交換器４４において、室内空気と冷媒とが熱交換し、暖められた室内空気がファン２２０によって室内に送風される。
【００１４】
冷房運転（冷房サーモオン運転）時においては、室外ユニット１０内の圧縮機４１は、四方弁４５を介して室内熱交換器４４から流入した冷媒を圧縮する。圧縮機４１から吐出された冷媒は、室外熱交換器４２において室外空気と熱交換し、室内ユニット２０内の膨張弁４３へ出力される。膨張弁４３は、室外熱交換器４２から流入した冷媒を膨張させる。膨張した冷媒は、室内熱交換器４４に流入する。室内熱交換器４４において、室外空気と冷媒とが熱交換し、冷やされた室内空気がファン２２０によって室内に送風される。
【００１５】
図２は、自動切替運転時の室温Ｔｓ、各中間温度範囲、及び各動作期間を示すタイムチャートである。以下、図２を参照しつつ、室温Ｔｓと各中間温度範囲及び各動作期間との関係について説明する。空気調和機１には、マニュアルモード（ユーザー切替モードとも称する）と自動切替モードがある。これらのモードは、室内ユニット２０の設定スイッチ２５０又はリモコン３０のリモコン操作部３２０によってユーザーが択一的に選択できる。マニュアルモードでは、室内機制御部２７０は、ユーザーが設定変更しない限り、暖房運転モードと冷房運転モードとは切り替わらず、同一の運転を継続させる。自動切替モードでは、室内機制御部２７０は、温度センサ２３０によって検知された室内温度Ｔｓと、冷房運転開始温度Ｔ１及び暖房運転開始温度Ｔ２との比較結果に応じて暖房運転モードと冷房運転モードとを切り替える。
【００１６】
自動切替モードでは、室内機制御部２７０は、室内温度Ｔｓが暖房運転開始温度Ｔ２まで低下したときに冷房運転モードから暖房運転モードに切り替える。また、自動切替モードでは、室内機制御部２７０は、室内温度Ｔｓが冷房運転開始温度Ｔ１まで上昇したときに暖房運転モードから冷房運転モードに切り替える。すなわち、室内機制御部２７０は、温度センサ２３０によって検知された室内温度Ｔｓが暖房運転開始温度Ｔ２又は冷房運転開始温度Ｔ１となったときに四方弁４５を切り替えて、暖房運転モードと冷房運転モードとを切り替える。暖房運転モード及び冷房運転モードの各々について、サーモオン運転とサーモオフ運転とがある。サーモオン運転は、制御部２７０が、圧縮機４１を動作させつつ、ファン２２０を回転させることによってなされる。サーモオン運転時には、室外熱交換器４２及び室内熱交換器４４によって冷媒と空気との間で熱交換がなされ、制御部２７０は、ファン２２０を回転動作させて、室内熱交換器４４によって熱交換された室内空気を送風する。サーモオフ運転は、制御部２７０が、圧縮機の動作を停止させることによってなされる。室内機制御部２７０は、暖房サーモオン運転中に室内温度Ｔｓが暖房サーモオフ切替温度（以下、暖房運転時圧縮機停止温度とも称する）Ｔｄ２１まで上昇したときに、暖房サーモオフ運転に切り替える。暖房サーモオフ切替温度Ｔｄ２１は、暖房運転開始温度Ｔ２よりも高い温度、例えば１℃高い温度である。また、室内機制御部２７０は、冷房サーモオン運転中に室内温度Ｔｓが冷房サーモオフ切替温度（以下、冷房運転時圧縮機停止温度とも称する）Ｔｄ１１まで低下したときに、冷房サーモオフ運転に切り替える。冷房サーモオフ切替温度Ｔｄ１１は、冷房運転開始温度Ｔ１よりも低い温度、例えば１℃低い温度である。すなわち、室内機制御部２７０は、温度センサ２３０によって検知された室内温度Ｔｓが暖房運転モード時に暖房運転時圧縮機停止温度となったとき、又は検知温度が冷房運転モード時に冷房時圧縮機停止温度となったときに圧縮機４１の動作を停止させる。室内機制御部２７０は、暖房サーモオフ運転中に室内温度Ｔｓが暖房サーモオン切替温度Ｔｄ２２まで低下したときに、暖房サーモオン運転に切り替える。暖房サーモオン切替温度Ｔｄ２２は、暖房運転開始温度Ｔ２よりも低い温度、例えば１℃低い温度である。室内機制御部２７０は、冷房サーモオフ運転中に室内温度Ｔｓが冷房サーモオン切替温度Ｔｄ１２まで上昇したときに、冷房サーモオン運転に切り替える。冷房サーモオン切替温度Ｔｄ１２は、冷房運転開始温度Ｔ１よりも高い温度、例えば１℃高い温度である。このように、暖房運転モード期間は、暖房サーモオン運転期間と暖房サーモオフ運転期間とからなる。また、冷房運転モード期間は、冷房サーモオン運転期間と冷房サーモオフ運転期間とからなる。
【００１７】
冷房運転開始温度Ｔ１より冷房第１中間温度幅Ｘ１℃だけ低い温度を冷房第１中間温度Ｔ１−Ｘ１と称する。室内機制御部２７０は、冷房サーモオフ運転開始時点ａ１から、室温Ｔｓが冷房第１中間温度Ｔ１−Ｘ１℃まで低下する時点ａ２までの期間、ファン２２０を第１の運転態様での運転、例えば連続運転させる。以下、当該期間を冷房サーモオフ第１動作期間ＤＣ１と称する。また、冷房第１中間温度幅Ｘ１℃の温度範囲を冷房サーモオフ第１中間温度範囲ＴＣ１と称する。室内機制御部２７０は、室温Ｔｓが冷房サーモオフ第１中間温度範囲ＴＣ１にある間、ファン２２０を第１の運転態様で運転させる。室内機制御部２７０は、室温Ｔｓが冷房第１中間温度Ｔ１−Ｘ１℃に到達した時点ａ２から、室温Ｔｓが暖房運転開始温度Ｔ２まで低下する時点ａ３までの期間、ファン２２０を第２の運転態様での運転、例えば間欠運転させる。以下、当該期間を冷房サーモオフ第２動作期間ＤＣ２と称する。また、冷房第１中間温度Ｔ１−Ｘ１℃と暖房運転開始温度Ｔ２との間の温度範囲を冷房サーモオフ第２中間温度範囲ＴＣ２と称する。室内機制御部２７０は、室温Ｔｓが冷房サーモオフ第２中間温度範囲ＴＣ２にある間、ファン２２０を第２の運転態様で運転させる。
【００１８】
暖房運転開始温度Ｔ２より暖房第１中間温度幅Ｙ１℃だけ高い温度を暖房第１中間温度Ｔ２＋Ｙ１と称する。室内機制御部２７０は、暖房サーモオフ運転開始時点ａ４から、室温Ｔｓが暖房第１中間温度Ｔ２＋Ｙ１℃まで上昇する時点ａ５までの期間、ファン２２０を第１の運転態様での運転、例えば連続運転させる。以下、当該期間を暖房サーモオフ第１動作期間ＤＨ１と称する。また、暖房第１中間温度幅Ｙ１℃の温度範囲を暖房サーモオフ第１中間温度範囲ＴＨ１と称する。室内機制御部２７０は、室温Ｔｓが暖房サーモオフ第１中間温度範囲ＴＨ１にある間、ファン２２０を第１の運転態様で運転させる。室内機制御部２７０は、室温Ｔｓが暖房第１中間温度Ｔ２＋Ｙ１℃に到達した時点ａ５から、室温Ｔｓが冷房運転開始温度Ｔ１まで上昇する時点ａ６までの期間、ファン２２０を第２の運転態様での運転、例えば間欠運転させる。以下、当該期間を暖房サーモオフ第２動作期間ＤＨ２と称する。また、暖房第１中間温度Ｔ２＋Ｙ１℃と冷房運転開始温度Ｔ１との間の温度範囲を暖房サーモオフ第２中間温度範囲ＴＨ２と称する。室内機制御部２７０は、室温Ｔｓが暖房サーモオフ第２中間温度範囲ＴＨ２にある間、ファン２２０を第２の運転態様で運転させるなお、暖房サーモオフ第１中間温度範囲ＴＨ１及び暖房サーモオフ第２中間温度範囲ＴＨ２の各々を単に暖房中間温度範囲とも称する。また、冷房サーモオフ第１中間温度範囲ＴＣ１及び冷房サーモオフ第２中間温度範囲ＴＣ２の各々を単に冷房中間温度範囲とも称する。
【００１９】
図３は、室外ユニット１０の室内機制御部２７０が実行する自動切替運転時のファン制御設定処理のフローチャート図である。図４は、自動切替運転時の暖房及び冷房のサーモオフ第１及び第２の中間温度範囲での風速設定の種類を示す図である。図５は、自動切替運転時の暖房及び冷房のサーモオフ第１及び第２の中間温度範囲でのファンの運転設定の種類を示す図である。
【００２０】
以下、図３〜図５を参照しつつ、室内機制御部２７０による自動切替運転時のファン制御設定処理について説明する。
【００２１】
先ず、室内機制御部２７０は、自動切替運転時の暖房サーモオフ第１中間温度範囲ＴＨ１について設定された１つの風速（設定風速）、及び冷房サーモオフ第１中間温度範囲ＴＣ１について設定された１つの風速（設定風速）をメモリ２４０から取得する（ステップＳ１０）。風速設定の一例が図４に示されている。図４の例においては、風速設定１は、ユーザーがリモコン３０の操作によって設定される風速である。ユーザーは、例えば１から１０までの１０段階の強さの風速のうちから１つの風速を任意に選択できる。風速設定２は、サーモオン時の風速よりも弱い風速である「弱風」設定であり、例えば装置出荷時に予め設定された風速である。風速設定３は、「弱風」設定よりも弱い風速である「微風」であり、例えば装置出荷時に予め設定された風速である。ユーザーは、暖房サーモオフ第1中間温度範囲ＴＨ１及び冷房サーモオフ第1中間温度範囲ＴＣ１各々の風速として風速設定１〜風速設定３のうちから１つの風速設定を択一的に選択できる。当該選択は、室内ユニット２０の設定スイッチ２５０又はリモコン３０のリモコン操作部３２０から行うことができる。選択された風速は、それぞれ暖房サーモオフ第1中間温度範囲ＴＨ１の設定風速、及び冷房サーモオフ第1中間温度範囲ＴＣ１の設定風速としてメモリ２４０に記憶される。室内機制御部２７０は、ステップＳ１０において、暖房サーモオフ第1中間温度範囲ＴＨ１の設定風速、及び冷房サーモオフ第1中間温度範囲ＴＣ１の設定風速をメモリ２４０から取得する。なお、図４の例では、暖房サーモオフと冷房サーモオフとを別設定としているが、暖房サーモオフと冷房サーモオフとを同設定とすることもできる。
【００２２】
次に、室内機制御部２７０は、自動切替運転時の暖房サーモオフ第１中間温度範囲ＴＨ１について設定された１つのファン運転設定値、及び冷房サーモオフ第１中間温度範囲ＴＣ１について設定された１つのファン運転設定値をメモリ２４０から取得する（ステップＳ１１）。ファン運転設定値の一例が図５に示されている。図５の例においては、運転設定１は、ファン２２０を連続的に運転させる「連続運転」設定である。運転設定２は、ファン２２０を間欠的に運転させる「間欠運転」設定である。運転設定３は、ファン２２０の運転を停止させる「停止」設定である。ユーザーは、暖房サーモオフ時及び冷房サーモオフ時各々のサーモオフ第１中間温度範囲のファン運転設定として運転設定１〜運転設定３のうちから１つの運転設定を択一的に選択できる。当該選択は、室内ユニット２０の設定スイッチ２５０又はリモコン３０のリモコン操作部３２０から行うことができる。選択された運転設定は、それぞれ暖房サーモオフ第１中間温度範囲ＴＨ１でのファン運転制御設定値、及び冷房サーモオフ第１中間温度範囲ＴＣ１でのファン運転設定値としてメモリ２４０に記憶される。室内機制御部２７０は、ステップＳ１０において、暖房サーモオフ第１中間温度範囲ＴＨ１でのファン運転設定値、及び冷房サーモオフ第１中間温度範囲ＴＣ１でのファン運転設定値をメモリ２４０から取得する。なお、図５の例では、暖房サーモオフと冷房サーモオフとを同設定としているが、暖房サーモオフと冷房サーモオフとを別設定とすることもできる。
【００２３】
次に、室内機制御部２７０は、自動切替運転時の暖房サーモオフ第２中間温度範囲ＴＨ２についての設定風速、及び冷房サーモオフ第２中間温度範囲ＴＣ２についての設定風速をメモリ２４０から取得する（ステップＳ１２）。風速の一例は図４に示される。ユーザーは、暖房サーモオフ時及び冷房サーモオフ時各々のサーモオフ第２中間温度範囲の風速として風速設定１〜風速設定３のうちの１つを択一的に選択できる。当該選択は、室内ユニット２０の設定スイッチ２５０又はリモコン３０のリモコン操作部３２０から行うことができる。選択された風速は、それぞれ暖房サーモオフ第２中間温度範囲ＴＨ２での設定風速、及び冷房サーモオフ第２中間温度範囲ＴＣ２での設定風速としてメモリ２４０に記憶される。室内機制御部２７０は、ステップＳ１０において、暖房サーモオフ第２中間温度範囲ＴＨ２での設定風速、及び冷房サーモオフ第２中間温度範囲ＴＣ２での設定風速をメモリ２４０から取得する。
【００２４】
次に、室内機制御部２７０は、自動切替運転時の暖房サーモオフ第２中間温度範囲ＴＨ２について設定された１つのファン運転設定値、及び冷房サーモオフ第２中間温度範囲ＴＣ２について設定された１つのファン運転設定値をメモリ２４０から取得する（ステップＳ１３）。これらのファン運転設定値の一例が図５に示されている。ユーザーは、暖房サーモオフ時及び冷房サーモオフ時各々のサーモオフ第２中間温度範囲のファン運転設定として運転設定１〜運転設定３のうちから択一的に１つの運転設定を選択できる。当該選択は、室内ユニット２０の設定スイッチ２５０又はリモコン３０のリモコン操作部３２０から行うことができる。選択された運転設定は、それぞれ暖房サーモオフ第２中間温度範囲ＴＨ２でのファン運転制御設定値、及び冷房サーモオフ第２中間温度範囲ＴＣ２でのファン運転設定値としてメモリ２４０に記憶される。室内機制御部２７０は、ステップＳ１０において、暖房サーモオフ第２中間温度範囲ＴＨ２でのファン運転設定値、及び冷房サーモオフ第２中間温度範囲ＴＣ２でのファン運転設定値をメモリ２４０から取得する。
【００２５】
図６（ａ）〜（ｃ）は、自動運転モード時のサーモオフ期間におけるファン２２０の風速及び運転態様の変化の例を示すタイムチャートである。時刻ｂ１以前が暖房サーモオン状態である場合、時刻ｂ１〜時刻ｂ２の期間は、暖房サーモオフ第１中間温度範囲ＴＨ１に対応し、暖房サーモオフ第１動作期間ＤＨ１である。時刻ｂ２〜時刻ｂ３の期間は、暖房サーモオフ第２中間温度範囲ＴＨ２に対応し、暖房サーモオフ第２動作期間ＤＨ２である。時刻ｂ３以降は、冷房サーモオン状態である。時刻ｂ１〜ｂ３の期間は、暖房サーモオフ状態である。また、時刻ｂ１以前が、冷房サーモオン状態である場合、時刻ｂ１〜ｂ２の期間は、冷房サーモオフ第１中間温度範囲ＴＣ１に対応し、冷房サーモオフ第１動作期間ＤＣ１である。時刻ｂ２〜ｂ３の期間は、冷房サーモオフ第２中間温度範囲ＴＣ２に対応し、冷房サーモオフ第２動作期間ＤＣ２である。時刻ｂ３以降は、暖房サーモオン状態である。時刻ｂ１〜ｂ３の期間は、冷房サーモオフ状態である。以下、時刻ｂ１以前が暖房サーモオン状態である場合について説明する。
【００２６】
図６（ａ）は、暖房サーモオフ第１中間温度範囲ＴＨ１について図４の風速設定１「リモコン設定」及び図５の運転設定１「連続運転」が選択され、暖房サーモオフ第２中間温度範囲ＴＨ２について図４の風速設定３「微風」及び図５の運転設定１「連続運転」が選択された場合におけるファン２２０の風速の変化を示すタイムチャートである。当該設定の場合、室内機制御部２７０は、暖房サーモオフ第１動作期間ＤＨ１のファン２２０の風速を「リモコン設定風速」として連続運転させ、暖房サーモオフ第２動作期間ＤＨ２のファン２２０の風速を「微風」として連続運転させる。図６（ｂ）は、暖房サーモオフ第１中間温度範囲ＴＨ１について図４の風速設定１「リモコン設定」及び図５の運転設定１「連続運転」が選択され、暖房サーモオフ第２中間温度範囲ＴＨ２について図４の風速設定１「弱風」及び及び図５の運転設定２「間欠運転」が選択された場合におけるファン２２０の風速の変化を示すタイムチャートである。当該設定の場合、室内機制御部２７０は、暖房サーモオフ第１動作期間ＤＨ１のファン２２０の風速を「リモコン設定風速」として連続運転させ、暖房サーモオフ第２動作期間ＤＨ２のファン２２０の風速を「弱風」として間欠運転させる。図６（ｃ）は、暖房サーモオフ第１中間温度範囲ＴＨ１について図４の風速設定３「微風」及び図５の運転設定１「連続運転」が選択され、暖房サーモオフ第２中間温度範囲ＴＨ２について図４の風速設定１〜３のいずれか１つ及び図５の運転設定３「停止」が選択された場合におけるファン２２０の風速の変化を示すタイムチャートである。当該設定の場合、室内機制御部２７０は、暖房サーモオフ第１動作期間ＤＨ１のファン２２０の風速を「微風」として連続運転させ、暖房サーモオフ第２動作期間ＤＨ２においてはファン２２０を停止させる。また、時刻ｂ１以前が冷房サーモオン状態である場合についても同様の設定をすることができ、ファン２２０の風速の変化を示すタイムチャートも図６（ａ）〜（ｃ）と同様となる。
【００２７】
暖房サーモオフ運転の全期間に亘ってファン２２０の回転を完全に停止させた場合、室内ユニット２０内に空気が滞留して室内ユニット２０内に熱がこもり、温度センサ２３０による室温の誤検知に繋がる懸念がある。それゆえ、暖房サーモオフ第１動作期間ＤＨ１においては、通常運転時よりも風速の弱い「弱風」又は「微風」の風速でファン２２０を動作させて、熱を含む室内空気を室内ユニット２０内から排出させ、その後の暖房サーモオフ第２動作期間ＤＨ２においては、ファン２２０の運転を停止させて、省エネ化を図ることが望ましい（例えば図６（ｃ）の運転）。また、暖房サーモオフ第１動作期間ＤＨ１においては、通常運転時よりも風速の弱い「弱風」又は「微風」の風速でファン２２０を動作させて、熱を含む室内空気を室内ユニット２０内から排出させ、その後の暖房サーモオフ第２動作期間ＤＨ２においては、ファン２２０を間欠運転させて省エネ化を図りつつ、室内ユニット２０内から熱を含む空気を定期的に排出させることもできる（例えば図６（ｂ）の運転）。また、暖房サーモオフ時には熱交換が行われないので、リモコン３０の操作による通常時の設定風速のままファン２２０を運転させると室温が低下する恐れがある。そこで、暖房サーモオフ時には暖房サーモオン時の風速よりも小さい風速である「弱風」又は「微風」でファン２２０を運転させることがより好ましい。また、「弱風」又は「微風」でファン２２０を運転させることにより、省エネ化を図ることもできる。また、省エネ化のために、冷房サーモオフ運転の全期間に亘ってファン２２０の回転を完全に停止させた場合、又は冷房サーモオフ運転の全期間に亘ってファン２２０を間欠運転させた場合には、室内空気の循環量が減少し過ぎて室温が上昇し、快適性を損なう懸念がある。それゆえ、冷房サーモオフ第１動作期間ＤＣ１においては、通常運転時よりも風速の弱い「弱風」又は「微風」の風速でファン２２０を動作させて、室内空気の循環を保ち、その後の冷房サーモオフ第２動作期間ＤＣ２においては、ファン２２０の運転を間欠運転させて室内空気を循環させつつ省エネ化を図ることが望ましい（例えば図６（ｂ）の運転）。また、冷房サーモオフ時には冷房サーモオン時の風速よりも小さい風速である「弱風」又は「微風」でファン２２０を運転させることにより、省エネ化を図ることができる（例えば図６（ｂ）の運転）。
【００２８】
なお、図６（ｂ）の例では、弱風期間と停止期間とが略同一であるが、これに限られない。例えば、弱風期間を停止期間よりも長くすることもできる。かかる構成によれば、消費電力は若干大きくなるものの、室内空気の循環量を増加させて快適性を向上させることができる。また、逆に、弱風期間を停止期間よりも短くすることもできる。かかる構成によれば、室内空気の循環量が減少し快適性は若干低下するものの、消費電力をより低減することができる。また、間欠運転において、時間の経過とともに弱風期間に対する停止期間の割合を大きくしていくこともできる。かかる構成によれば、サーモオフ状態移行後、直ぐにはファンが停止しないので、一定期間、空気の循環による快適性を持続させることができる。また、例えば、弱風期間から停止期間に移行する間、及び停止期間から弱風期間に移行する間の少なくとも一方において、ファン２２０の風速が「微風」である微風期間を設けることもできる。かかる構成によれば、ファン２２０の運転と停止の急な切り替えによってユーザーに与え得る不快感を低減することができる。
【００２９】
次に、室内機制御部２７０は、ステップＳ１０〜Ｓ１３でメモリ２４０から取得したファン２２０の設定風速及び設定運転を、自動切替運転時のサーモオフ時の設定として決定する（ステップＳ１４）。例えば、ステップＳ１０で冷房サーモオフ第１中間温度範囲ＴＣ１についての風速設定として設定１（リモコン設定風速）が選択され、ステップＳ１１で冷房サーモオフ第１中間温度範囲ＴＣ１についてのファン制御設定として設定１（連続運転）が選択され、ステップＳ１２で冷房サーモオフ第２中間温度範囲ＴＣ２についての風速設定として設定２（弱風）が選択され、ステップＳ１３で冷房サーモオフ第２中間温度範囲ＴＣ２についてのファン制御設定として設定２（間欠運転）が選択された場合において、検知温度が冷房サーモオフ第１中間温度範囲ＴＣ１にある場合には、室内機制御部２７０はファン２２０をリモコン設定風速で連続運転させ、検知温度が冷房サーモオフ第２中間温度範囲ＴＣ２にある場合には、室内機制御部２７０はファン２２０を弱風と停止とを繰り返す間欠運転させる（図６（ｂ））。
【００３０】
以下、図７を参照しつつ、自動切替運転時のファン運転制御処理について説明をする。
先ず、ユーザーは、リモコン３０のリモコン操作部３２０の操作により、自動切替運転時の冷房運転開始温度Ｔ１と暖房運転開始温度Ｔ２とを入力する。リモコン送受信部３３０は、リモコン操作部３２０の操作によって入力された冷房運転開始温度Ｔ１と暖房運転開始温度Ｔ２とを室内ユニット２０に送信する（ステップＳ２０）。室内ユニット送受信部２６０は、リモコン送受信部３３０によって送信された冷房運転開始温度Ｔ１と暖房運転開始温度Ｔ２とを受信する。
【００３１】
次に、室内機制御部２７０は、自動切替運転時の冷房サーモオフ第１及び第２中間温度範囲ＴＣ１及びＴＣ２を設定する（ステップＳ２１）。冷房サーモオフ第１中間温度範囲ＴＣ１の上限温度は冷房サーモオフ切替温度Ｔｄ１１であり、下限温度は冷房第１中間温度Ｔ１−Ｘ１である。 冷房サーモオフ第２中間温度範囲ＴＣ２の上限温度は冷房第１中間温度Ｔ１−Ｘ１であり、下限温度は暖房運転開始温度Ｔ２である。
【００３２】
次に、室内機制御部２７０は、自動切替運転時の暖房サーモオフ第１及び第２中間温度範囲ＴＨ１及びＴＨ２を設定する（ステップＳ２２）。暖房サーモオフ第１中間温度範囲ＴＨ１の上限温度は暖房第１中間温度Ｔ２＋Ｙ１であり、下限温度は暖房サーモオフ切替温度Ｔｄ２１である。 暖房サーモオフ第２中間温度範囲ＴＨ２の上限温度は冷房運転開始温度Ｔ１であり、下限温度は暖房第１中間温度Ｔ２＋Ｙ１である。
【００３３】
図８（ａ）は、冷房第１中間温度幅Ｘ１、及び暖房第１中間温度幅Ｙ１の設定値の例である。図８（ａ）の例では、Ｘ１、Ｙ１共に２．０℃である。図８（ｂ）は、冷房運転開始温度Ｔ１、暖房運転開始温度Ｔ２、冷房サーモオフ切替温度Ｔｄ１１、暖房サーモオフ切替温度Ｔｄ２１、冷房サーモオフ第１中間温度範囲ＴＣ１、冷房サーモオフ第２中間温度範囲ＴＣ２、暖房サーモオフ第１中間温度範囲ＴＨ１、暖房サーモオフ第２中間温度範囲ＴＨ２の設定値の例である。図８（ｂ）の例では、Ｔ１＝２７℃、Ｔ２＝２０℃、Ｔｄ１１＝２６℃、Ｔｄ２１＝２１℃、ＴＣ１の下限Ｔ１−Ｘ１＝２５℃、上限Ｔｄ１１＝２６℃、ＴＣ２の下限Ｔ２＝２０℃、上限Ｔ１−Ｘ１＝２５℃、ＴＨ１の下限Ｔｄ２１＝２１℃、上限Ｔ２＋Ｙ１＝２２℃、ＴＨ２の下限Ｔ２＋Ｙ１＝２２℃、上限Ｔ１＝２７℃である。なお、Ｘ１＝Ｙ１＝２．０℃は初期値として予め設定された値であるが、ユーザーが任意に変更できる。また、Ｘ１の設定値とＹ１の設定値とを異ならせることもできる。また、図８（ｂ）のＴ１、Ｔ２、ＴＤ１１及びＴＤ２1の値は一例であり、これに限られない。
【００３４】
次に、室内機制御部２７０は、現在の運転モードを判別する（ステップＳ２３）。先ず、室内機制御部２７０は、空気調和機１の現在の運転状態が冷房サーモオフ運転であるか判別する（ステップＳ２４）。室内機制御部２７０は、空気調和機１の運転状態を切り替える度に、切替後の運転状態をメモリ２４０に記憶しており、ステップＳ２４においてメモリ２４０に記憶されている現在の運転状態を読み出して、その運転状態が冷房サーモオフ運転であるか判別する。現在の運転状態が冷房サーモオフ運転である場合、室内機制御部２７０は、現在の室内温度が冷房サーモオフ第２中間温度範囲ＴＣ２に含まれるか判定する（ステップＳ２５）。現在の室内温度は、温度センサ２３０によって検知される。
【００３５】
現在の室内温度が冷房サーモオフ第２中間温度範囲ＴＣ２に含まれない場合、すなわち、現在の室内温度が冷房サーモオフ第１中間温度範囲ＴＣ１に含まれる場合、室内機制御部２７０は、冷房サーモオフ第１中間温度範囲ＴＣ１の設定風速及び設定運転に従ってファン２２０の運転を制御する（ステップＳ２６）。設定風速及び設定運転はメモリ２４０に記憶されている。設定風速は、例えば図８（ｃ）に示されるように、リモコン３０の操作によって設定され得る。ファン２２０の設定運転は、連続運転であり、初期値として予め設定されているか、ユーザーによって変更設定されている。室内機制御部２７０は、メモリ２４０からこれらの設定値を読み出し、その設定値に従ってファン２２０の運転を制御する。
【００３６】
現在の室内温度が冷房サーモオフ第２中間温度範囲ＴＣ２に含まれる場合、室内機制御部２７０は、冷房サーモオフ第２中間温度範囲ＴＣ２の設定風速及び設定運転に従ってファン２２０の運転を制御する（ステップＳ２７）。設定風速及び設定運転は、例えば図８（ｃ）に示される。図８（ｃ）の例の場合、設定風速は「弱風」であり、メモリ２４０に記憶されている。設定運転は「間欠運転」であり、メモリ２４０に記憶されている。室内機制御部２７０は、メモリ２４０からこれらの設定を読み出し、その設定に従ってファン２２０の運転を制御する。このような制御を行ったときの冷房サーモオフ運転時におけるファン２２０の風速及び運転態様の時間的変化は図６（ｂ）のタイムチャートに示される。
【００３７】
室内機制御部２７０は、ステップＳ２４において、空気調和機１の現在の運転状態が冷房サーモオフ運転でないと判定した場合、現在の運転状態が暖房サーモオフ運転であるか判別する（ステップＳ２８）。室内機制御部２７０は、空気調和機１の運転状態を切り替える度に、切替後の運転状態をメモリ２４０に記憶しており、ステップＳ２８においてメモリ２４０に記憶されている現在の運転状態を読み出して、その運転状態が暖房サーモオフ運転であるか判定を行う。
【００３８】
現在の運転状態が暖房サーモオフ運転である場合、室内機制御部２７０は、現在の室内温度が暖房サーモオフ第２中間温度範囲ＴＨ２に含まれるか判定する（ステップＳ２９）。現在の室内温度は、温度センサ２３０によって検知される。
【００３９】
現在の室内温度が暖房サーモオフ第２中間温度範囲ＴＨ２に含まれない場合、すなわち、現在の室内温度が暖房サーモオフ第１中間温度範囲ＴＨ１に含まれる場合、室内機制御部２７０は、暖房サーモオフ第１中間温度範囲ＴＨ１の設定風速及び設定運転に従ってファン２２０の運転を制御する（ステップＳ３０）。設定風速及び設定運転はメモリ２４０に記憶されている。図８（ｄ）に示される例の場合、設定風速は「微風」であり、メモリ２４０に記憶されている。ファン２２０の運転設定は連続運転であり、メモリ２４０に記憶されている。室内機制御部２７０は、メモリ２４０からこれらの設定を読み出し、その設定に従ってファン２２０の運転を制御する。
【００４０】
現在の室内温度が暖房サーモオフ第２中間温度範囲ＴＨ２に含まれる場合、室内機制御部２７０は、暖房サーモオフ第２中間温度範囲ＴＨ２の設定風速及び設定運転に従ってファン２２０の運転を制御する（ステップＳ３１）。設定風速及び設定運転は、例えば図８（ｄ）に示される。図８（ｄ）の例の場合、設定風速は「弱風」であり、メモリ２４０に記憶されている。設定運転は「停止」であり、メモリ２４０に記憶されている。室内機制御部２７０は、メモリ２４０からこれらの設定を読み出し、その設定に従ってファン２２０の運転を制御する。かかる制御を行ったときの暖房サーモオフ運転時におけるファン２２０の風速及び運転態様の時間的変化は図６（ｃ）のタイムチャートに示される。
【００４１】
室内機制御部２７０は、ステップＳ２８において、空気調和機１の現在の運転状態が暖房サーモオフ運転でないと判定した場合、サーモオン時の設定風速及び設定運転に従ってファン２２０を制御する（ステップＳ３２）。室内機制御部２７０は、ステップＳ２８においてメモリ２４０に記憶されている現在の運転状態を読み出して、その運転状態が暖房サーモオフ運転であるか判定を行う。サーモオン時の設定風速及び設定運転はメモリ２４０に記憶されている。室内機制御部２７０は、メモリ２４０からこれらの設定を読み出し、その設定に従ってファン２２０の運転を制御する。
【００４２】
以上のように、本実施形態の空気調和機１においては、暖房サーモオフ期間内の温度範囲を区分する暖房第１中間温度Ｔ２＋Ｙ１を設定し、温度センサ２３０によって検知された室内温度が暖房サーモオフ第１中間温度範囲ＴＨ１に属する場合と暖房サーモオフ第２中間温度範囲ＴＨ２に属する場合とでファン２２０の運転態様を異ならせる。また、冷房サーモオフ期間内の温度範囲を区分する冷房第１中間温度Ｔ１−Ｘ１を設定し、温度センサ２３０によって検知された室内温度が冷房サーモオフ第１中間温度範囲ＴＣ１に属する場合と冷房サーモオフ第２中間温度範囲ＴＣ２に属する場合とでファン２２０の運転態様を異ならせる。運転態様は、連続運転、間欠運転、停止である。例えば第１中間温度範囲においてはファン２２０を連続運転させ、第２空間温度範囲においてはファン２２０を間欠運転させる。この場合、サーモオフ期間全体に亘ってファン２２０を連続運転させる場合と比較して、ファン２２０の運転に要する消費電力を低減することができる。
【００４３】
暖房サーモオフ運転時には、特に、以下の態様で動作させることで温度センサ２３０の温度誤検出防止及び快適性を担保しつつ、省エネ化を図ることができる。すなわち、比較的温度が低い暖房サーモオフ第１中間温度範囲ＴＨ１内に検知温度が属している間にファン２２０を連続運転させる。これにより、室内ユニット２０内の空気を排出して室内ユニット２０内に熱がこもることを防止し、室内ユニット２０に設けられた温度センサ２３０の温度誤検知を防止できる。この際、空気調和がされていない空気（すなわち冷たい空気）の送風量を減らして快適性を損なわないようにしつつ、室内ユニット２０内の熱を輩出できるようにファン２２０の風速を「弱風」とすることが特に望ましい。一方、比較的温度の高い暖房サーモオフ第２中間温度範囲ＴＨ２内に検知温度が属するときにはファン２２０を停止させる。これにより、比較的室内温度が高いにもかかわらず、空気調和されていない室内空気（すなわち暖かい室内空気）の送風を停止して快適性を担保すると共に、省エネ化できるという効果を奏する。冷房サーモオフ運転時には、特に、以下の態様で動作させることで快適性を担保しつつ、省エネ化を図ることができる。すなわち、比較的温度が高い冷房サーモオフ第１中間温度範囲ＴＣ１内に検知温度が属している間にファン２２０を連続運転させる。これにより、室内空気を循環させて暑さを和らげ、高い快適性を確保できる。一方、比較的温度の低い冷房サーモオフ第２中間温度範囲ＴＣ２内に検知温度が属するときにはファン２２０を間欠運転させる。これにより、空気循環による快適性を担保しつつ、省エネ化できるという効果を奏する。検知温度が冷房サーモオフ第２中間温度範囲ＴＣ２内に属しているときにファン２２０を間欠運転させる場合には、空気調和がされていない空気（すなわち冷たい空気）の送風量を減らして快適性を損なわないようにするため、ファン２２０の風速を「弱風」又は「微風」とすることが特に望ましい。仮に、本実施形態とは異なり、室内温度とは無関係にサーモオフとなった時点から所定時間後にファンの運転態様及び風速を切り替える場合には、比較的室内温度が高いにもかかわらず、空気調和されていない室内空気（すなわち暖かい室内空気）を室内で循環させてしまい快適性を損なわせてしまう。また、比較的室内温度が低いにもかかわらず、空気調和されていない室内空気（すなわち冷たい室内空気）を室内で循環させてしまい快適性を損なわせてしまうことも考えられる。翻って、本実施形態の空気調和機１においては、サーモオフ期間中に検知した室内温度に応じてファン２２０の運転態様及び風速を決定しているので、このような問題が生じないという利点がある。
【００４４】
かかる構成により、自動切替運転時のサーモオフ期間中において、装置誤動作の防止及び快適性を担保しつつ、ファン２２０の運転に要する消費電力を低減することができ、省エネ化を実現できるという効果を奏する。また、空気調和機１においては、省エネ動作温度範囲におけるファン２２０の風速及び運転の設定を、室内ユニット２０の設定スイッチ２５０又はリモコン３０のリモコン操作部３２０によって変更可能であり、ユーザーの使用環境に合わせた設定とすることができる。
【００４５】
また、本実施形態の空気調和機１においては、暖房サーモオフ第１中間温度範囲ＴＨ１の温度幅の方が暖房サーモオフ第２中間温度範囲ＴＨ２の温度幅よりも小さくなるように設定され、且つ、検知温度Ｔｓが暖房サーモオフ第１中間温度範囲ＴＨ１に属する時には連続運転を行い、検知温度Ｔｓが暖房サーモオフ第２中間温度範囲ＴＨ２に属する時には間欠運転を行っている。また、暖房運転時圧縮機停止温度Ｔｄ２１と冷房運転開始温度Ｔ１との間の温度範囲を区分する温度である暖房第１中間温度Ｔ２＋Ｙ１は、暖房運転時圧縮機停止温度Ｔｄ２１と冷房運転開始温度Ｔ１との中間の温度よりも低く設定されている。かかる設定によれば、間欠運転を行う時間の方が連続運転を行う時間よりも長くなるので省エネ化の効果が大きい。また、冷房サーモオフ第１中間温度範囲ＴＣ１の温度幅の方が冷房サーモオフ第２中間温度範囲ＴＣ２の温度幅よりも小さくなるように設定され、且つ、検知温度Ｔｓが冷房サーモオフ第１中間温度範囲ＴＣ１に属する時には連続運転を行い、検知温度Ｔｓが冷房サーモオフ第２中間温度範囲ＴＣ２に属する時には間欠運転を行っている。また、冷房運転時圧縮機停止温度Ｔｄ１１と暖房運転開始温度Ｔ２との間の温度範囲を区分する温度である冷房第１中間温度Ｔ１−Ｘ１は、冷房運転時圧縮機停止温度Ｔｄ１１と暖房運転開始温度Ｔ２との中間の温度よりも高く設定されている。かかる設定によれば、間欠運転を行う時間の方が連続運転を行う時間よりも長くなるので省エネ化の効果が大きい。なお、暖房サーモオフ第１中間温度範囲ＴＨ１の温度幅の方が暖房サーモオフ第２中間温度範囲ＴＨ２の温度幅よりも大きくなるように設定し、且つ、検知温度Ｔｓが暖房サーモオフ第１中間温度範囲ＴＨ１に属する時には間欠運転を行い、検知温度Ｔｓが暖房サーモオフ第２中間温度範囲ＴＨ２に属する時には連続運転を行うこともできる。かかる設定によっても、間欠運転を行う時間の方が連続運転を行う時間よりも長くなるので省エネ化の効果が大きい。また、冷房サーモオフ第１中間温度範囲ＴＣ１の温度幅の方が冷房サーモオフ第２中間温度範囲ＴＣ２の温度幅よりも大きくなるように設定し、且つ、検知温度Ｔｓが冷房サーモオフ第１中間温度範囲ＴＣ１に属する時には間欠運転を行い、検知温度Ｔｓが冷房サーモオフ第２中間温度範囲ＴＣ２に属する時には連続運転を行うこともできる。かかる設定によっても、間欠運転を行う時間の方が連続運転を行う時間よりも長くなるので省エネ化の効果が大きい。
【００４６】
本実施の形態は、冷房第１中間温度Ｔ１−Ｘ１と暖房第１中間温度Ｔ２＋Ｙ１とを設けた場合の例であるが、冷房第１中間温度Ｔ１−Ｘ１及び暖房第１中間温度Ｔ２＋Ｙ１のいずれか一方のみを設けることもできる。すなわち、冷房運転モード及び暖房運転モードのいずれか一方についてのみ、２つの中間温度範囲を設けて当該中間温度範囲の各々でファン２２０の運転態様を異ならせることもできる。室内機制御部２７０は、記憶部２４０に暖房中間温度範囲が記憶されている場合に、検知温度が暖房中間温度範囲のうちのいずれに属するかに応じてファン２２０の運転態様を異ならせ、且つ、記憶部２４０に冷房中間温度範囲が記憶されている場合に、検知温度が冷房中間温度範囲のうちのいずれに属するかに応じてファン２２０の運転態様を異ならせる。
【００４７】
実施の形態２．
本実施形態の空気調和機１においては、冷房第１中間温度幅Ｘ１、及び暖房第１中間温度幅Ｙ１をリモコン３０から設定変更できる。図９は、冷房第１中間温度幅Ｘ１及び暖房第１中間Ｙ１の設定変更処理を示すフローチャートである。以下、図９を参照しつつ、リモコン３０を用いた冷房第１中間温度幅Ｘ１及び暖房第１中間温度幅Ｙ１の設定変更処理について説明する。温度幅Ｘ１及びＹ１の設定変更により、冷房サーモオフ第１中間温度範囲ＴＣ１、冷房サーモオフ第２中間温度範囲ＴＣ２、暖房サーモオフ第１中間温度範囲ＴＨ１、暖房サーモオフ第２中間温度範囲ＴＨ２も設定変更される。
【００４８】
先ず、ユーザーは、リモコン３０の設定スイッチ２５０の操作により、温度幅Ｘ１及びＹ１を入力する（ステップＳ４１）。リモコン３０のリモコン送受信部３３０は、入力された温度幅Ｘ１及びＹ１を室内ユニット２０に送信する（ステップＳ４２）。室内ユニット送受信部２６０は、リモコン３０から送信された温度幅Ｘ１及びＹ１を受信する（ステップＳ４３）。室内機制御部２７０は、メモリ２４０に記憶されている現在の温度幅Ｘ１及びＹ１を、受信した温度幅Ｘ１及びＹ１に置き換えて更新する（ステップＳ４４）。室内機制御部２７０は、次回のファン運転制御処理より更新された設定値Ｘ１、Ｙ１を用いてファン２２０を制御する。
【００４９】
図１０（ａ）は、冷房第１中間温度幅Ｘ１、及び暖房第１中間温度幅Ｙ１の現在設定値である。図１０（ａ）の例では、Ｘ１、Ｙ１共に２．０℃である。図１０（ｂ）は、Ｘ１＝２．０℃、Ｙ１＝２．０℃のときの冷房運転開始温度Ｔ１、暖房運転開始温度Ｔ２、冷房サーモオフ切替温度Ｔｄ１１、暖房サーモオフ切替温度Ｔｄ２１、冷房サーモオフ第１中間温度範囲ＴＣ１、冷房サーモオフ第２中間温度範囲ＴＣ２、暖房サーモオフ第１中間温度範囲ＴＨ１、暖房サーモオフ第２中間温度範囲ＴＨ２の設定値の例である。図１０（ｂ）の例では、Ｔ１＝２７℃、Ｔ２＝２０℃、Ｔｄ１１＝２６℃、Ｔｄ２１＝２１℃、ＴＣ１の下限Ｔ１−Ｘ１＝２５℃、上限Ｔｄ１１＝２６℃、ＴＣ２の下限Ｔｄ２１＝２０℃、上限Ｔ１−Ｘ１＝２５℃、ＴＨ１の下限Ｔｄ２１＝２１℃、上限Ｔ２＋Ｙ１＝２２℃、ＴＨ２の下限Ｔ２＋Ｙ１＝２２℃、上限Ｔ１＝２７℃である。
【００５０】
図１０（ｃ）は、冷房第１中間温度幅Ｘ１、及び暖房第１中間温度幅Ｙ１のリモコン受信値に基づく更新設定値である。図１０（ｃ）の例では、Ｘ１は２．５℃、Ｙは１．５℃である。図１０（ｄ）は、Ｘ１＝２．５℃、Ｙ１＝１．５℃に設定変更されたときの冷房運転開始温度Ｔ１、暖房運転開始温度Ｔ２、冷房サーモオフ切替温度Ｔｄ１１、暖房サーモオフ切替温度Ｔｄ２１、冷房サーモオフ第１中間温度範囲ＴＣ１、冷房サーモオフ第２中間温度範囲ＴＣ２、暖房サーモオフ第１中間温度範囲ＴＨ１、暖房サーモオフ第２中間温度範囲ＴＨ２の設定値の例である。図１０（ｄ）の例では、Ｔ１＝２７℃、Ｔ２＝２０℃、Ｔｄ１１＝２６℃、Ｔｄ２１＝２１℃、ＴＣ１の下限Ｔ１−Ｘ１＝２４．５℃、上限Ｔｄ１１＝２６℃、ＴＣ２の下限Ｔｄ２１＝２０℃、上限Ｔ１−Ｘ１＝２４．５℃、ＴＨ１の下限Ｔｄ２１＝２１℃、上限Ｔ２＋Ｙ１＝２１．５℃、ＴＨ２の下限Ｔ２＋Ｙ１＝２１．５℃、上限Ｔ１＝２７℃である。
【００５１】
以上のように、本実施形態の空気調和機１においては、自動切替運転時の冷房第１中間温度幅Ｘ１、及び暖房第１中間温度幅Ｙ１をリモコン３０の操作によって設定変更できるので、ファン制御切換を行う温度範囲を使用環境に合わせて調整でき、ユーザーは省エネ性と快適性とを兼ね備えた設定をすることができる。
【００５２】
実施の形態３．
本実施形態の空気調和機１においては、自動切替運転時の冷房第１中間温度幅Ｘ１、冷房第２中間温度幅Ｘ２、暖房第１中間温度幅Ｙ１、及び暖房第２中間温度幅Ｙ２を設けている。図１１は、自動切替運転時の室温Ｔｓ、各中間温度範囲、及び各動作期間を示すタイムチャートである。図１２（ａ）は、冷房及び暖房中間温度幅Ｘ１、Ｘ２、Ｙ１及びＹ２の設定例である。図１２（ｂ）は、冷房及び暖房の第１、第２及び第３中間温度範囲ＴＣ１、ＴＣ２、ＴＣ３、ＴＨ１、ＴＨ２及びＴＨ３の設定例である。図１２（ｃ）は、冷房サーモオフ時における第１、第２及び第３中間温度範囲ＴＣ１、ＴＣ２及びＴＣ３でのファン２２０の風速及び運転の設定例、図１２（ｄ）は、暖房サーモオフ時における第１、第２及び第３中間温度範囲ＴＨ１、ＴＨ２及びＴＨ３でのファン２２０の風速及び運転の設定例である。以下、第１及び第２の実施形態と異なる点について主に説明する。
【００５３】
図１１の例の冷房運転モードにおける中間温度範囲は、冷房サーモオフ第１中間温度範囲ＴＣ１、冷房サーモオフ第２中間温度範囲ＴＣ２、及び冷房サーモオフ第３中間温度範囲ＴＣ３からなる。 ＴＣ１の上限は冷房サーモオフ切替温度Ｔｄ１１であり、下限は冷房第１中間温度Ｔ１−Ｘ１である。ＴＣ２の上限は冷房第１中間温度Ｔ１−Ｘ１であり、下限は冷房第２中間温度Ｔ１−Ｘ２である。ＴＣ３の上限は冷房第２中間温度Ｔ１−Ｘ２であり、下限は暖房運転開始温度Ｔ２である。図１１の例の暖房運転モードにおける中間温度範囲は、暖房サーモオフ第１中間温度範囲ＴＨ１、暖房サーモオフ第２中間温度範囲ＴＨ２、及び暖房サーモオフ第３中間温度範囲ＴＨ３からなる。 ＴＨ１の上限は暖房第１中間温度Ｔ２＋Ｙ１であり、下限は暖房サーモオフ切替温度Ｔｄ２１である。ＴＨ２の上限は暖房第２中間温度Ｔ２＋Ｙ２であり、下限は暖房第１中間温度Ｔ２＋Ｙ１である。ＴＨ３の上限は冷房運転開始温度Ｔ１であり、下限は暖房第２中間温度Ｔ２＋Ｙ２である。
【００５４】
図１２（ａ）は、冷房及び暖房の第１及び第２中間温度幅Ｘ１、Ｙ１、Ｘ２、Ｙ２の設定例、図１２（ｂ）は、冷房運転開始温度Ｔ１、暖房運転開始温度Ｔ２、冷房サーモオフ切替温度Ｔｄ１１、暖房サーモオフ切替温度Ｔｄ２１、冷房サーモオフの第１〜第３中間温度範囲ＴＣ１〜ＴＣ３、暖房サーモオフの第１〜第３中間温度範囲ＴＨ１〜ＴＨ３の設定値の例である。図１２（ａ）の例の場合、冷房第１中間温度幅Ｘ１＝２．０℃、冷房第２中間温度幅Ｘ２＝４．０℃、暖房第１中間温度幅Ｙ１＝２．０℃、暖房第２中間温度幅Ｙ２＝４．０℃である。図１２（ｂ）の例では、Ｔ１＝２７℃、Ｔ２＝２０℃、Ｔｄ１１＝２６℃、Ｔｄ２１＝２１℃、ＴＣ１の下限Ｔ１−Ｘ１＝２５℃、上限Ｔｄ１１＝２６℃、ＴＣ２の下限Ｔ１−Ｘ２＝２３℃、上限Ｔ１−Ｘ１＝２５℃、ＴＣ３の下限Ｔ２＝２０℃、上限Ｔ１−Ｘ２＝２３℃、ＴＨ１の下限Ｔｄ２１＝２１℃、上限Ｔ２＋Ｙ１＝２２℃、ＴＨ２の下限Ｔ２＋Ｙ１＝２２℃、上限Ｔ２＋Ｙ２＝２４℃、ＴＨ３の下限Ｔ２＋Ｙ２＝２４℃、上限Ｔ１＝２７℃である。
【００５５】
室内温度Ｔｓが、冷房サーモオフ切替温度Ｔｄ１１となった時点ｃ１から冷房第１中間温度Ｔ１−Ｘ１まで降下した時点ｃ２までの期間が、冷房サーモオフ第１中間温度範囲ＴＣ１に対応する期間であり、当該期間を冷房サーモオフ第１動作期間ＤＣ１と称する。室内温度Ｔｓが、冷房第１中間温度Ｔ１−Ｘ１となった時点ｃ２から冷房第２中間温度Ｔ１−Ｘ２まで降下した時点ｃ３までの期間が、冷房サーモオフ第２中間温度範囲ＴＣ２に対応する期間であり、当該期間を冷房サーモオフ第２動作期間ＤＣ２と称する。室内温度Ｔｓが、冷房第２中間温度Ｔ１−Ｘ２となった時点ｃ３から暖房運転開始温度Ｔ２まで降下した時点ｃ４までの期間が、冷房サーモオフ第３中間温度範囲ＴＣ３に対応する期間であり、当該期間を冷房サーモオフ第３動作期間ＤＣ３と称する。
【００５６】
室内温度Ｔｓが、暖房サーモオフ切替温度Ｔｄ２１となった時点ｃ５から暖房第１中間温度Ｔ２＋Ｙ１まで上昇した時点ｃ６までの期間が、暖房サーモオフ第１中間温度範囲ＴＨ１に対応する期間であり、当該期間を暖房サーモオフ第１動作期間ＤＨ１と称する。室内温度Ｔｓが、暖房第１中間温度Ｔ２＋Ｙ１となった時点ｃ６から暖房第２中間温度Ｔ２＋Ｙ２まで上昇した時点ｃ７までの期間が、暖房サーモオフ第２中間温度範囲ＴＨ２に対応する期間であり、当該期間を暖房サーモオフ第２動作期間ＤＨ２と称する。室内温度Ｔｓが、暖房第２中間温度Ｔ２＋Ｙ２となった時点ｃ７から冷房運転開始温度Ｔ１まで上昇した時点ｃ８までの期間が、暖房サーモオフ第３中間温度範囲ＴＨ３に対応する期間であり、当該期間を暖房サーモオフ第３動作期間ＤＨ３と称する。
【００５７】
図１２（ｃ）に示されるように、室内機制御部２７０は、冷房サーモオフ第１動作期間ＤＣ１において、ファン２２０を第１の設定風速、例えばリモコン３０の操作による設定風速で動作させる。また、室内機制御部２７０は、冷房サーモオフ第１動作期間ＤＣ１においてファン２２０を第１の設定運転、例えば連続運転させる。室内機制御部２７０は、冷房サーモオフ第２動作期間ＤＣ２において、ファン２２０を第２の設定風速、例えば第１の設定風速よりも遅い風速、例えば「弱風」で動作させる。また、室内機制御部２７０は、冷房サーモオフ第２動作期間ＤＣ２におけるファン２２０を、第２の設定運転、例えば間欠運転させる。室内機制御部２７０は、冷房サーモオフ第３動作期間ＤＣ３において、ファン２２０を第３の設定風速、例えば第２の設定風速よりも遅い風速、例えば「微風」で動作させる。また、室内機制御部２７０は、冷房サーモオフ第３動作期間ＤＣ３におけるファン２２０を第３の設定運転、例えば停止させる。室内機制御部２７０は、暖房サーモオフ時の動作も同様に行うことができる。
【００５８】
上記したように、本実施形態の空気調和機１においては、サーモオフ時の温度範囲を区分する中間温度を、暖房運転モード及び冷房運転モードの各々について２つずつ設定する。室内機制御部２７０は、検知温度Ｔｓが属する中間温度範囲に応じた風速及び運転態様によりファン２２０を動作させる。かかる構成とすることにより、第１の実施形態に比較してより細かいファン制御が可能となる。例えば、検知温度Ｔｓが属する中間温度範囲が変わる度に、ファン２２０の運転態様を連続運転、間欠運転、停止の順又は停止、間欠運転、連続運転の順に段階的に変化させることによって、すなわち、連続運転から停止状態又は停止状態から連続運転のようにファン２２０の動作を急に開始又は停止をさせないことによって快適性を向上させることができ、省エネ性と快適性とを両立できるという効果を奏する。また、例えば、検知温度Ｔｓが属する中間温度範囲が変わる度に、ファン２２０の風速を通常設定、弱風設定、微風設定の順又は微風設定、弱風設定、通常設定の順に段階的に変化させることによっても快適性を向上させ、省エネ性と快適性とを両立できる。なお、上記実施形におけるファン２２０の運転態様の変化順及び風速の変化順は一例であり、これに限られない。
【００５９】
実施の形態４．
本実施形態における空気調和機１の室内機制御部２７０は、自動切替運転時において、サーモオフ切替温度から中間温度までの温度範囲すなわち暖房サーモオフ第１中間温度範囲ＴＨ１での温度の時間的変化率に応じて、暖房サーモオフ第２中間温度範囲ＴＨ２におけるファン２２０の風速を、予め設定された複数の風速のうちから選択する。また、室内機制御部２７０は、暖房サーモオフ第１中間温度範囲ＴＨ１での温度の時間的変化率に応じて、暖房サーモオフ第２中間温度範囲ＴＨ２におけるファン２２０の運転態様を、予め設定された複数の運転態様のうちから選択する。以下、第１〜第３の実施形態と異なる部分について主に説明する。
【００６０】
図１３は、室内機制御部２７０による自動切替運転時のファン２２０の風速及び運転態様の選択処理を示すフローチャートである。以下、図１３を参照しつつ、当該風速選択処理について説明する。
【００６１】
先ず、室内機制御部２７０は、サーモオフ第１中間温度に含まれる任意の２点の温度を検知する（ステップＳ５０）。冷房運転モード時においては、室内機制御部２７０は、検知温度Ｔｓが冷房サーモオフ切替温度Ｔｄ１１になった時点から冷房第１中間温度Ｔ１−Ｘ１になった時点までの期間すなわち冷房サーモオフ第１動作期間ＤＣ１内で、温度センサ２３０によって検知された２点の温度を取得し、その温度及びその検知時刻をメモリ２４０に記憶させる。暖房運転モード時においては、室内機制御部２７０は、検知温度Ｔｓが暖房サーモオフ切替温度Ｔｄ２１になった時点から暖房第１中間温度Ｔ２＋Ｙ１になった時点までの期間すなわち暖房サーモオフ第１動作期間ＤＨ１内で、温度センサ２３０によって検知された２点の温度を取得し、その検知時刻をメモリ２４０に記憶させる。２点の温度の組み合わせとしては例えば、冷房サーモオフ切替温度Ｔｄ１１と冷房第１中間温度Ｔ１−Ｘ１の組み合わせ、又は、暖房サーモオフ切替温度Ｔｄ２１と暖房第２中間温度Ｔ２＋Ｙ２の組み合わせとすることができる。
【００６２】
次に、室内機制御部２７０は、冷房運転モード時には検知温度Ｔｓが冷房第１中間温度Ｔ１−Ｘ１に達した時点において、暖房運転モード時には検知温度Ｔｓが暖房第１中間温度Ｔ２＋Ｙ１に達した時点において、検知した２点の温度及びその検知時刻をメモリ２４０から読み出して単位時間当たりの温度変化量を算出する（ステップＳ５１）。次に、室内機制御部２７０は、算出した時間的変化量と閾値とを比較する （ステップＳ５２）。閾値は、予め設定されており、例えば、１℃／１時間である。
【００６３】
次に、室内機制御部２７０は、比較結果に基づいてファン２２０の風速を選択する （ステップＳ５３）。室内機制御部２７０は、例えば、単位時間当たりの温度変化量が閾値よりも大きい場合にはファン２２０の風速として「弱風」を選択し、単位時間当たりの温度変化量が閾値よりも小さい場合にはファン２２０の風速として「弱風」よりも弱い「微風」を選択することができる。また、室内機制御部２７０は、比較結果に基づいてファン２２０の運転態様を選択する（ステップＳ５３）。室内機制御部２７０は、例えば、単位時間当たりの温度変化量が閾値よりも大きい場合にはファン２２０の運転態様として「連続運転」を選択し、単位時間当たりの温度変化量が閾値よりも小さい場合にはファン２２０の運転態様として「間欠運転」を選択することができる。
【００６４】
次に、室内機制御部２７０は、選択した風速及び運転態様でファン２２０を運転制御する（ステップＳ５４）。例えば、単位時間当たりの温度変化量が閾値よりも大きい場合、室内機制御部２７０は、風速「弱風」でファン２２０を連続運転させる。
【００６５】
上記したように、本実施形態の空気調和機１においては、サーモオフ第１中間温度範囲での温度の時間的変化率に応じて、サーモオフ第２中間温度範囲におけるファン２２０の風速及び運転態様を、予め設定された複数の風速及び運転態様のうちから選択し、選択した風速及び運転態様にてファン２２０を運転させる。
【００６６】
室内機制御部２７０は、例えば、時間的変化量が閾値よりも大きい場合には、ファン２２０の運転態様として連続運転を選択し、時間的変化量が閾値よりも小さい場合には、ファン２２０の運転態様として間欠運転を選択する。単位時間当たりの温度変化量が閾値よりも大きい場合には、検知温度が冷房運転開始温度Ｔ１又は暖房運転開始温度Ｔ２に比較的早期に到達すると推測でき、サーモオフ期間が比較的短くなると考えられる。それゆえ、サーモオフ期間中に連続運転を行ってもファン２２０の運転に要する消費電力は比較的少なく済み、且つ室内空気の循環による快適性も十分に確保できる。一方、単位時間当たりの温度変化量が閾値よりも小さい場合には、検知温度が冷房運転開始温度Ｔ１又は暖房運転開始温度Ｔ２に比較的遅く到達すると推測でき、サーモオフ期間が比較的長くなると考えられる。それゆえ、サーモオフ期間中に間欠運転を行ってファン２２０の運転に要する消費電力を抑制しつつ、室内空気の循環による快適性を確保することができる。
【００６７】
また、室内機制御部２７０は、例えば、単位時間当たりの温度変化量が閾値よりも大きい場合には、ファン２２０の風速として「弱風」を選択し、単位時間当たりの温度変化量が閾値よりも小さい場合には、ファン２２０の風速として「微風」を選択する。単位時間当たりの温度変化量が閾値よりも大きい場合には、サーモオフ期間が比較的短くなると考えられる。それゆえ、サーモオフ期間中に風速を「微風」よりも風速の強い「弱風」としてもファン２２０の運転に要する消費電力は比較的少なく済み、且つ室内空気の循環による快適性も十分に確保できる。一方、単位時間当たりの温度変化量が閾値よりも小さい場合には、サーモオフ期間が比較的長くなると考えられる。それゆえ、サーモオフ期間中に風速を「弱風」よりも風速の弱い「微風」としてファン２２０の運転に要する消費電力を抑制しつつ、室内空気の循環による快適性を確保することができる。
【００６８】
本実施形態は、「連続運転」と「弱風」との組み合わせ、及び「間欠運転」と「微風」との組み合わせの例であるが、これに限られない。比較的消費電力の大きい「連続運転」と比較的消費電力の小さい「微風」の組み合わせ、又は、比較的消費電力の小さい「間欠運転」と比較的消費電力の大きい「弱風」の組み合わせを選択することもできる。かかる選択によっても、ファン２２０の運転に要する消費電力を抑制しつつ、室内空気の循環による快適性を確保することができる。
【００６９】
また、本実施形態は、ファン２２０の風速と運転態様の両方を選択する場合の例であるがこれに限られない。例えば、サーモオフ第２中間温度範囲におけるファン２２０の運転態様を連続運転又は間欠運転で固定として、ファン２２０の風速のみを、時間的変化量と閾値との比較結果に応じて選択することもできる。また、例えば、サーモオフ第２中間温度範囲におけるファン２２０の風速を「弱風」又は「微風」で固定として、ファン２２０の運転態様のみを、時間的変化量と閾値との比較結果に応じて選択することもできる。かかる構成によっても、ファン２２０の運転に要する消費電力を抑制しつつ、室内空気の循環による快適性を確保することができる。
【符号の説明】
【００７０】
１  空気調和機
１０  室外ユニット
２０  室内ユニット
３０  リモートコントローラ
４１  圧縮機
４２  室外熱交換器
４３  膨張弁
４４  室内熱交換器
４５  四方弁
２１０  室内機コントローラ
２２０  ファン
２３０  温度センサ
２４０  メモリ
２５０  設定スイッチ
２６０  室内ユニット送受信部
２７０  室内機制御部
３１０  リモコン制制御部
３２０  リモコン送受信部
３３０  リモコン操作部
【図１】
0006260463.tif 000002
【図２】
0006260463.tif 000003
【図３】
0006260463.tif 000004
【図４】
0006260463.tif 000005
【図５】
0006260463.tif 000006
【図６】
0006260463.tif 000007
【図７】
0006260463.tif 000008
【図８】
0006260463.tif 000009
【図９】
0006260463.tif 000010
【図１０】
0006260463.tif 000011
【図１１】
0006260463.tif 000012
【図１２】
0006260463.tif 000013
【図１３】
0006260463.tif 000014